(57)【要約】  第１レンズ５６ａ，環状部材７０，第２レンズ５６ｂが光軸Ｏに沿って物体側から像面側に向かって順に配置され、第１孔５５ａと第１レンズ５６ａとの間の接着剤７５によって第１レンズ５６ａが液密に固定され、第２孔５５ｂと第２レンズ５６ｂとの間の接着剤７６によって第２レンズ５６ｂが液密に固定されている。また、環状部材７０の第２レンズ５６ｂ側の側面と第３孔５５ｃの内径面と第２レンズ５６ｂの光入射側のレンズ面との間の空間Ｓに接着剤７７が充填されて接着剤７６の接着層が延長され、第１レンズ５６ａと第２レンズ５６ｂとの間の空間Ｒ内への湿気の通過抵抗を増大させて湿気の侵入を防止する。
2017221458.tif 000002
【特許請求の範囲】
【請求項１】
物体側から像面側へ向けて順番に第１レンズと第２レンズとを有し、上記第１レンズの光入射面が光学装置の外部に露出している光学系と、
上記光学系の光束を通す開孔を有する環状部材と、
上記光学系の光軸に沿って、上記第１レンズを保持する第１孔と、上記第２レンズを保持する第２孔と、上記環状部材を保持する第３孔と、を少なくとも有するレンズ枠と、
を有し、
上記第１レンズと上記第２レンズとは各々上記レンズ枠に接着剤で固定され、
上記環状部材が上記第２レンズの光入射側の面或は光出射側の面の何れかに近接して配置されることによって、上記環状部材と上記第３孔と上記第２レンズとが所定の空間を形成し、
上記所定の空間には接着剤が充填されている
ことを特徴とする光学装置。
【請求項２】
上記環状部材は、上記第２レンズの光入射側の面或は光出射側の面に沿った面形状を有すると共に、上記第２レンズの光入射側の面或は光出射側の面に対して所定の間隔を介して配置されている
ことを特徴とする請求項１に記載の光学装置。
【請求項３】
上記環状部材は、薄板状の部材で形成されている
ことを特徴とする請求項２に記載の光学装置。
【請求項４】
上記環状部材は、上記第２レンズの光入射側の面或は光出射側の面に接触しない間隔となるように位置決めされて配置されている
ことを特徴とする請求項２に記載の光学装置。
【請求項５】
上記環状部材は、上記第２レンズの光入射側の面或は光出射側の面に沿った複数段の間隔の面形状を有する
ことを特徴とする請求項２に記載の光学装置。
【請求項６】
上記環状部材は、上記開孔を光学絞りとして使用可能に形成されている
ことを特徴とする請求項１に記載の光学装置。
【発明の詳細な説明】
【技術分野】
【０００１】
本発明は、レンズ枠に接着剤で固定されるレンズを有する光学装置に関する。
【背景技術】
【０００２】
光学装置は、内視鏡等の各種観察機器に用いられ、レンズで結像した被写体の光学像を、例えばＣＣＤやＣＭＯＳ等からなる固体撮像素子で画像信号に変換し、モニタに表示することで、各種観察が可能となる。このような光学装置に使用されるレンズは、例えば日本国特開２００２−２５８１２９号公報に開示されているように、レンズ筒等の枠体に接着剤で接着されて固定されるのが一般的である。【０００３】
光学装置を内視鏡先端の光学系として適用する場合、内視鏡は温度及び湿度が高い過酷な環境で使用され、また、滅菌・洗浄の際に高温の蒸気に曝されるため、接着層を通過した湿気により光学系も同様の条件に曝されることが想定される。このため、内視鏡を乾燥させた後も内部に水分を含んだ湿気が僅かに残留し、内視鏡の使用時に湿気が光学系のレンズ面で結露して視野内曇りが生じる虞がある。【０００４】
特に、内視鏡先端の対物光学系は、物体側から像面側に向けて順番に複数のレンズを配置し、先端のレンズによって観察窓を形成するものが多い。この対物光学系の複数のレンズを、先端側から順に第１レンズ、第２レンズとすると、第１レンズと第２のレンズとの間には、第２のレンズとレンズ枠との間の接着層を通して湿気が侵入して残留する虞がある。このため、内視鏡の使用時に、観察窓である第１レンズの外表面を洗浄するため水等の流体を噴きつけると、第１レンズの内外で温度差が生じ、第１レンズの内面側に視野内曇りが発生する虞がある。【０００５】
本発明は上記事情に鑑みてなされたもので、物体側から像面側に向けて順番に配置される第１レンズと第２レンズとの間の空間への第２レンズとレンズ枠との間の接着層を通した湿気の侵入を防止し、視野内曇りの発生を未然に回避することのできる光学装置を提供することを目的としている。
【発明の開示】
【課題を解決するための手段】
【０００６】
本発明の一態様による光学装置は、物体側から像面側へ向けて順番に第１レンズと第２レンズとを有し、上記第１レンズの光入射面が光学装置の外部に露出している光学系と、上記光学系の光束を通す開孔を有する環状部材と、上記光学系の光軸に沿って、上記第１レンズを保持する第１孔と、上記第２レンズを保持する第２孔と、上記環状部材を保持する第３孔と、を少なくとも有するレンズ枠と、を有し、上記第１レンズと上記第２レンズとは各々上記レンズ枠に接着剤で固定され、上記環状部材が上記第２レンズの光入射側の面或は光出射側の面の何れかに近接して配置されることによって、上記環状部材と上記第３孔と上記第２レンズとが所定の空間を形成し、上記所定の空間には接着剤が充填されている。
【図面の簡単な説明】
【０００７】
【図１】本発明の実施の第１形態に係り、内視鏡システムの構成図
【図２】同上、内視鏡の先端部の構成を示す縦断面図
【図３】同上、撮像ユニットの構成を示す縦断面図
【図４】同上、前群レンズユニットを示す縦断面図
【図５】同上、環状部材の変形例を示す縦断面図
【図６】本発明の実施の第２形態に係り、前群レンズ周辺の縦断面図
【図７】同上、環状部材と第２レンズとの間の接着層を示す拡大図
【図８】本発明の実施の第３形態に係り、前群レンズ周辺の縦断面図
【図９】同上、環状部材と第２レンズとの間の隙間を示す拡大図
【図１０】本発明の実施の第４形態に係り、前群レンズ周辺の縦断面図
【発明を実施するための最良の形態】
【０００８】
以下、図面を参照して本発明の実施の形態を説明する。  
（第１形態）
図１は、本発明の光学装置を有する内視鏡２を中心として構成される内視鏡システム１を示している。本実施の形態においては、内視鏡システム１は、被検体内の観察対象部位の光学像を取得する内視鏡２と、内視鏡２に照明光を供給する光源装置３と、内視鏡２に搭載された撮像ユニットに対する信号処理を行う信号処理装置としてのビデオプロセッサ４と、内視鏡画像を表示する表示装置としてのカラーモニタ５と、を備えて構成されている。【０００９】
内視鏡２は、被検体内に挿入される細長の挿入部６と、この挿入部６の基端に設けられた操作部７と、この操作部７から延出されたユニバーサルコード８と、このユニバーサルコード８の端部に設けられた内視鏡コネクタ９と、を有する。内視鏡コネクタ９は、光源装置３に着脱自在に接続されることにより、光源装置３から照明光が内視鏡２内の図示しないライトガイドに供給される。【００１０】
また、内視鏡コネクタ９には接続ケーブル１０の一端が接続され、この接続ケーブル１０の他端に設けられた電気コネクタ１０ａが、ビデオプロセッサ４に着脱自在に接続される。また、ビデオプロセッサ４は、図示しない映像ケーブルを介してカラーモニタ５と接続される。【００１１】
挿入部６は、先端に設けられた硬質の先端部１１と、この先端部１１の後端に設けられた湾曲自在の湾曲部１２と、湾曲部１２の後端から操作部７の前端まで延びる可撓性を有する可撓管部１３と、を備えて構成されている。【００１２】
先端部１１の先端面には、観察窓１５と、複数の照明窓１６（図１では１つのみ示す）と、処置具チャンネル１７（図２参照）の先端開口１７ａと、図示しない洗浄用ノズルが設けられている。観察窓１５の内側（背面側）には、図２に示すように先端部１１内に設けた撮像ユニット３０が配設されている。【００１３】
また、照明窓１６には照明レンズが取り付けられ、この照明レンズには光源装置３からの照明光を伝送するためのライトガイドが連設されている（何れも図示せず）。このライトガイドにより伝送された照明光は、照明レンズを介して先端面の前方側に出射され、これにより、撮像ユニット３０による視野範囲となる被検体内の観察対象部位が照明される。【００１４】
操作部７には、挿入部６の基端が延出される部分に対する折れ止め部１８ａと、下部側の側部に配設される処置具挿入口１８ｂと、中途部に設けられたグリップ部を構成する操作部本体１８ｃと、上部側に設けられた２つの湾曲操作ノブ１９ａ，１９ｂからなる湾曲操作部１９と、送気送水制御部２１と、吸引制御部２２と、複数のスイッチから構成された主に撮像機能を操作するスイッチ部２３と、撮像ユニット３０内に設けられた後述する移動レンズ６６（図３参照）を進退移動させるための操作レバー２４と、が設けられている。【００１５】
尚、操作部７の処置具挿入口１８ｂは、その内部において、挿入部６内に挿通された処置具チャンネル１７と連通し、先端部１１の先端開口１７ａにおいて開口している。【００１６】
次に、内視鏡２の先端部１１の構成について、図２に基づいて説明する。図２に示すように、先端部１１の内部には、撮像ユニット３０が配設されている。この撮像ユニット３０は、硬質な先端硬性部材２５に嵌挿配置され、側面方向からセットビス２７により先端硬性部材２５に固定されている。【００１７】
また、撮像ユニット３０の先端側の外周部には、先端硬性部材２５との液密を確保するためのＯリング２８が配設されている。また、先端硬性部材２５の先端側には、先端部１１の先端面を構成する先端カバー２５ａが接着固定されている。【００１８】
尚、先端カバー２５ａに形成される孔部である先端開口１７ａは、上述したように、先端部１１内の処置具チャンネル１７の開口部を構成する。【００１９】
また、先端硬性部材２５の基端側には湾曲部１２を構成する複数の湾曲駒２６が連設され、これら先端硬性部材２５および湾曲駒２６の外周は、先端挿入部ゴム部材１２ａによって一体的に被覆されている。この先端挿入部ゴム部材１２ａの先端外周部は、糸巻接着部２９により、先端硬性部材２５に固定されている。【００２０】
尚、先端部１１に配設される洗浄チューブ、照明用のライトガイドバンドルなどの部材については、従来から周知な構成のため、それらの説明を省略する。【００２１】
次に、撮像ユニット３０の詳細な構成について、図３に基づいて説明する。本実施の形態の撮像ユニット３０は、固体撮像素子ユニット３１と、この固体撮像素子ユニット３１の先端側に連設された光学装置としての観察光学系ユニット３２と、を有して構成されている。【００２２】
固体撮像素子ユニット３１は、固体撮像素子保持枠３５を有し、この固体撮像素子保持枠３５には、ＣＣＤ，ＣＭＯＳ等からなる固体撮像素子チップ３７の前面側である撮像面側が、カバーガラスなどの光学部材３６を介して保持されている。また、固体撮像素子チップ３７の背面側には積層基板３８が図示しないＦＰＣ等を介して電気的に接続されている。さらに、積層基板３８にはケーブル３９から分岐した複数の通信線が接続されている。このケーブル３９は、内視鏡２の内部に挿通配置されており、電気コネクタ１０ａを介して、ビデオプロセッサと電気的に接続される。【００２３】
また、固体撮像素子保持枠３５の基端外周部には補強枠４０が連設され、この補強枠４０の外周に、ケーブル３９の先端部分まで被覆する熱収縮チューブ４１が設けられている。尚、固体撮像素子保持枠３５の基端部分から補強枠４０及び熱収縮チューブ４１にて形成された空間内には、固体撮像素子ユニット３１を液密に保持するとともに、保護するための接着剤などの保護剤４２が充填されている。【００２４】
本実施の形態の観察光学系ユニット３２は、内部のレンズを進退移動させて光学特性（焦点距離）を変更することによりフォーカシング機能またはズーミング機能を実現する焦点切替方式の観察光学系３３を有して構成されている。【００２５】
より具体的に説明すると、観察光学系ユニット３２は、先端側に位置する前群レンズユニット４５と、この前群レンズユニット４５の基端側に連設する後群レンズユニット４６と、これら前群レンズユニット４５と後群レンズユニット４６との間を光学系の光軸Ｏ方向に進退移動可能な移動レンズユニット４８と、を有して構成されている。【００２６】
前群レンズユニット４５は、固定レンズ枠を構成する前群レンズ枠５５と、この前群レンズ枠５５に保持された複数の固定レンズからなる前群レンズ５６と、を有して構成されている。前群レンズ５６は、本実施の形態においては、後述する図４に示すように、先端の物体側から像面側に向けて順番に配置された第１レンズ５６ａと第２レンズ５６ｂとを有する対物光学系を構成し、第１レンズ５６ａによって挿入部６先端の観察窓１５が形成されている。第１レンズ５６ａ及び第２レンズ５６ｂは、前群レンズ枠５５内に接着剤を介して固定されている。【００２７】
後群レンズユニット４６は、固定レンズ枠を構成する後群レンズ枠５７と、この後群レンズ枠５７に保持された複数の固定レンズからなる後群レンズ５８と、を有して構成されている。後群レンズ枠５７の基端側外周には、固体撮像素子保持枠３５が嵌合され、これにより、固体撮像素子ユニット３１と観察光学系ユニット３２とが連結されている。【００２８】
また、後群レンズ枠５７の中途には外径方向に突出する支持桿５７ａが設けられ、この支持桿５７ａに、駆動用ロッド８０を光軸Ｏ方向に進退可能に支持するためのガイド管６７が固設されている。駆動用ロッド８０は、移動レンズユニット４８を光軸Ｏ方向に進退移動させるものであり、図示しないアクチュエータによって進退駆動される。【００２９】
ガイド管６７の先端側の外周には、移動レンズユニット４８の退避側の位置を規定するための後側ストッパ部６８が固設されている。本実施の形態の後側ストッパ部６８は、内周に雌ネジが設けられたリング状の部材によって構成されている。この後側ストッパ部６８は、ガイド管６７の先端側の外周に設けられた雄ネジと螺合され、その螺合状態に応じて、移動レンズユニット４８の退避側の位置を微調整することが可能となっている。【００３０】
後群レンズ枠５７の先端側は、固定レンズ枠を構成する中間枠６１を介して、前群レンズ枠５５と連結されている。この中間枠６１には、当該中間枠６１の内周側と外周側とを貫通するスリット６１ａが設けられている。このスリット６１ａは、光軸Ｏ方向と同方向に延在されており、このスリット６１ａの基端側は中間枠６１の基端において開放されている。【００３１】
ここで、中間枠６１は、スリット６１ａの基端側に支持桿５７ａが位置するよう、光軸Ｏ周りの回転位置が位置決めされた状態にて、後群レンズ枠５７と嵌合されている。また、これら後群レンズ枠５７と中間枠６１との接合により、スリット６１ａの基端側の開放端部は閉塞されている。また、中間枠６１には、スリット６１ａを挟んで支持桿５７ａと対向する位置に、移動レンズユニット４８の進出側の位置を規定するための前側ストッパ部６１ｂが突設されている。【００３２】
移動レンズユニット４８は、移動レンズ枠６５と、この移動レンズ枠６５に保持された移動レンズ６６と、を有して構成されている。本実施の形態においては、移動レンズ枠６５は、固定レンズ枠である中間枠６１内に配設され、光軸Ｏに沿った方向へ進退移動が可能となっている。【００３３】
また、移動レンズ枠６５には、外周方向に突出する移動枠凸部としての操作桿６５ａが設けられている。この操作桿６５ａは、中間枠６１のスリット６１ａを貫通して中間枠６１の外周側に突出され、前側ストッパ部６１ｂ及び支持桿５７ａ（後側ストッパ部６８）に対向されている。操作桿６５ａには、駆動用ロッド８０の先端部が固設されている。【００３４】
尚、中間枠６１に対する移動レンズ枠６５の摺動抵抗等を低減するため、中間枠６１の内周面と移動レンズ枠６５の外周面との間には所定のクリアランスが設けられ、さらに、スリット６１ａと操作桿６５ａとの間にも所定のクリアランスが設けられている。また、スリット６１ａを液密に閉塞するため、前側ストッパ部６１ｂから支持桿５７ａにかけての領域はカバー６９によって密閉されている。【００３５】
以上の移動レンズユニット４８の進出位置における、前群レンズユニット４５及び後群レンズユニット４６との相対位置の調整（焦点調整）は、操作桿６５ａを前側ストッパ部６１ｂに押し当てるとともに、操作桿６５ａをスリット６１ａの左右の側壁のうちの一方の側壁（例えば、左側の側壁）に押し当てた状態にて行われる。【００３６】
すなわち、移動レンズユニット４８の進出位置における焦点調整は、上述のように操作桿６５ａを押し当てた状態にて、固体撮像素子ユニット３１で撮像される画像を観察しながら、前群レンズ枠５５と中間枠６１との位置調整、及び、後群レンズ枠５７と中間枠６１との位置調整を行うことにより行われる。そして、このように位置調整が行われた後の前群レンズ枠５５、後群レンズ枠５７、及び、中間枠６１は、接着剤等によって固定される。【００３７】
また、退避位置における移動レンズユニット４８の、前群レンズユニット４５及び後群レンズユニット４６との相対位置の調整（焦点調整）は、操作桿６５ａを後側ストッパ部６８に押し当てるとともに、操作桿６５ａをスリット６１ａの他方の側壁（例えば、、右側の側壁）に押し当てた状態にて行われる。【００３８】
すなわち、移動レンズユニット４８の退避位置における調整は、上述のように操作桿６５ａを押し当てた状態にて、固体撮像素子ユニット３１で撮像される画像を観察しながら、後側ストッパ部６８のガイド管６７に対する螺合状態を調整することにより行われる。そして、このように位置調整が行われた後の後側ストッパ部６８は、接着剤等によってガイド管６７に固定される。【００３９】
ここで、移動レンズユニット４８が内部に配設される中間枠６１には、前述したようにスリット６１ａが設けられ、このスリット６１ａにより、中間枠６１の内周側と外周側とを貫通する開口部が形成されている。内視鏡２を滅菌・洗浄する場合、乾燥させた後も内視鏡２内部に水分を含んだ湿気が僅かに残留する場合がある。このような場合、湿気がスリット６１ａから中間枠６１内に入り、中間枠６１内から前群レンズユニット４５の内部に湿気が侵入して内視鏡の使用時に曇りが発生する虞がある。【００４０】
特に、観察窓１５を形成する第１レンズ５６ａの外表面を洗浄するため、先端部１１の先端面に設けられたノズル（図示せず）から水や空気等の流体を噴きつけると、第１レンズ５６ａの内外で温度差が生じ、第１レンズ５６ａの内面側に曇りが発生する虞がある。この第１レンズ５６ａの内面側の曇りは、第２レンズ５６ｂの外径面と前群レンズ枠５５の内径面との間の接着層を通して第１レンズ５６ａと第２レンズ５６ｂとの間の空間Ｒ内に侵入した湿気によるものと考えられる。【００４１】
このため、前群レンズユニット４５は、第１レンズ５６ａの背面側に配置される第２レンズ５６ｂの前面側に、第２レンズ５６ｂの外径面と前群レンズ枠５５の内径面との間の接着層を延長して湿気の侵入を防止するための環状部材７０を備えている。以下、図４に基づいて、前群レンズユニット４５の詳細な構成について説明する。【００４２】
前群レンズユニット４５の筐体となる前群レンズ枠５５は、第１レンズ５６ａを保持する第１孔５５ａと、第２レンズ５６ｂを保持する第２孔５５ｂと、環状部材７０を保持する第３孔５５ｃとを少なくとも有している。本実施の形態においては、第１レンズ５６ａは、先端の外部に露出する光入射側の面が観察窓１５となる平面で形成され、光出射側となる像面側の面が凹面で形成されている。第２レンズ５６ｂは、例えば凹凸のレンズから形成されている。【００４３】
また、本実施の形態においては、第１孔５５ａと第２孔５５ｂとの間に第３孔５５ｃが設けられている。すなわち、第１孔５５ａ，第３孔５５ｃ，第２孔５５ｂが光軸Ｏに沿って先端の物体側から像面側に向かって順に配置され、また、順に内径が小さくなるように形成されている。第２孔５５ｂの後端側は、第２レンズ５６の光出射側のレンズ外周部が当接する位置決め部５５ｄとして形成されている。【００４４】
第１孔５５ａに保持される第１レンズ５６ａは、第１孔５５ａの内径面と第１レンズ５６ａの外径面との間に充填される接着剤７５によって液密に固定されている。第２孔５５ｂに保持される第２レンズ５６ｂは、第２孔５５ｂの内径面と第２レンズ５６ｂの外径面との間に充填される接着剤７６によって液密に固定されている。【００４５】
また、第１レンズ５６ａの光出射側、第２レンズ５６ｂの光出射側には、それぞれ、レンズの周辺光を絞る絞り部材７１，７２が配設されている。絞り部材７１は、第１レンズ５６ａの内面側の端面外周部と、第１孔５５ａから第３孔５５ｃにかけての段部の端面との間に挟持され、接着剤によって液密に固定されている。絞り部材７２は、位置決め部５５ｄの背面側に接着剤によって固定されている。【００４６】
また、第１孔５５ａと第２孔５５ｂとの間に設けられる第３孔５５ｃには、環状部材７０が配設されている。環状部材７０は、第１レンズ５６ａからの光束を通して、第２レンズ５６ｂに入射する開孔７０ａを有し、第２レンズ５６ｂの光入射面の外周部に近接して配置されている。【００４７】
本実施の形態においては、環状部材７０は、開孔７０ａの周縁部が光軸Ｏを中心とする円周上で第２レンズ５６ｂのレンズ面に当接して線接触するように配置されている。そして、環状部材７０の第２レンズ５６ｂ側の側面と、第３孔５５ｃの内径面と、第２レンズ５６ｂの光入射側のレンズ面外周とによって形成される所定の空間Ｓに、接着剤７７が充填されている。【００４８】
接着剤７７の充填は、第２孔５５ｂに第２レンズ５６ｂを装着して第２孔５５ｂの外径面と第２レンズ５６ｂの内径面とのクリアランスに接着剤７６を充填した後に行われる。すなわち、第２孔５５ｂと第２レンズ５６ｂとのクリアランスに接着剤７６が十分に浸透して硬化した後、接着剤７７を第２レンズ５６ｂの外周部に所定量塗布し、環状部材７０を第３孔５５ｃに嵌合することで、空間Ｓに接着剤７７が充填される。接着剤７７の塗布量は、環状部材７０と第２レンズ５６ｂと第３孔５５ｃとによる空間Ｓの容積を考慮して設定する。【００４９】
尚、接着剤７５，７６，７７は、狭い隙間にも浸透可能な流動性と、硬化後に水分を含んだ湿気を通し難い特性を有している。これらの接着剤７７は、７５，７６，７７は、基本的には同様の性状のもので良いが、塗布される部位（周囲環境）、塗布量、硬化時間等に応じて性状を調整して使用するようにしても良い。また、絞り部材７１及び第１レンズ５６ａの接着剤による固定は、環状部材７０を接着して固定した後となる。【００５０】
これにより、第２孔５５ｂと第２レンズ５６ｂとの間の接着剤７６に、環状部材７０と第２レンズ５６ｂと第３孔５５ｃとの空間Ｓの接着剤７７が接合され、接着剤７６の接着層を延長して湿気の通過抵抗を増大させることができる。その結果、前群レンズ枠５５に接合される中間枠６１のスリット６１ａを通して侵入した湿気が第１レンズ５６ａと第２レンズ５６ｂとの間の空間Ｒ内に侵入しようとしても、増大した通過抵抗によって湿気の侵入を効果的に阻止することができる。【００５１】
図５は、環状部材７０の形状を若干変更して第２レンズ５６ｂへの入射光を絞る光学絞りとして機能させる例を示している。図５に示す環状部材９０は、薄板状に形成され、環状部材７０の開孔７０ａよりも小径の光学絞りとして機能する開孔９０ａを有している。環状部材９０と第２レンズ５６ｂと第３孔５５ｃとによって形成される空間Ｓには、環状部材７０と同様、接着剤７７が充填され、この接着剤７７により、第２孔５５ｂと第２レンズ５６ｂとの間の接着剤７６による接着層が延長される。【００５２】
このような環状部材９０においても、第１レンズ５６ａと第２レンズ５６ｂとの間の空間Ｒ内へ侵入しようとする湿気の通過抵抗を増大させることができ、湿気の侵入を効果的に防止することができる。さらに、環状部材９０は、開孔９０ａを光学絞りとして兼用することで、第２レンズ５６ｂへの不要な入射光を遮光することができる。【００５３】
このように本実施の形態においては、内視鏡先端の第１レンズ５６ａと、第１レンズ５６ａ後方の第２レンズ５６ｂとを、それぞれ、前群レンズ枠５５の第１孔５５ａ，第２孔５５ｂに接着剤で固定する際に、第１孔５５ａと第２孔５５ｂとの間の第３孔５５ｃに環状部材７０（９０）を配置している。環状部材７０（９０）は、第２レンズ５６ｂの光入射面の外周部に近接して配置することで第２レンズ５６ｂの外周部との間に空間を形成し、この空間に接着剤を充填することで、第２レンズ５６ｂの接着層を延長する。【００５４】
これにより、第１レンズ５６ａと第２レンズ５６ｂとの間の空間内への湿気の通過抵抗を増大させて湿気の侵入を効果的に防止することができ、観察窓となる第１レンズ５６ａの曇りを防止することができる。【００５５】
（第２形態）
次に、本実施の第２形態について説明する。第２形態は、図６に示すように、薄板状の環状部材１００を第２レンズ５６ｂのレンズ面に沿って配設するものである。【００５６】
詳細には、環状部材１００は、第１レンズ５６ａ及び第２レンズ５６ｂの光束が通る開孔１００ａを有し、金属の薄板等の所定の形状に変形自在な部材で形成されている。この薄板状の環状部材１００は、第２レンズ５６ｂの光入射面側で、レンズの外周面に沿った曲面形状で配設される。【００５７】
このような環状部材１００は、例えば、組み付け前の状態では平板状の部品として、組み付け時に曲面形状に変形させる。すなわち、第２孔５５ｂに第２レンズ５６ｂを装着して接着剤７６で固定した後、第２レンズ５６ｂの外周部に接着剤７７を塗布して、第３孔５５ｃ及び第２レンズ５６ｂに平面状の環状部材１００を押し付ける。その結果、環状部材１００が第２レンズ５６ｂのレンズ面に沿った曲面形状に変形し、図７に示すように、環状部材１００の周縁部と第２レンズ５６ｂのレンズ面との間の空間Ｓが薄膜状の隙間δとなり、この隙間δに接着剤７７が浸透して薄膜状の接着層が形成される。【００５８】
尚、環状部材１００は、第２レンズ５６ｂのレンズ面の曲率を考慮して、樹脂等の材料を用いて予め曲面状に成形しておいても良い。【００５９】
これにより、第２形態においても、第１レンズ５６ａと第２レンズ５６ｂとの間の空間内への湿気の通過抵抗を増大させて湿気の侵入を効果的に防止することができ、観察窓となる第１レンズ５６ａの曇りを防止することができる。しかも、第２形態では、環状部材１００と第２レンズ５６ｂとの間の接着層が非常に薄いため、湿気の通過抵抗がより大きくなり、より効果的に湿気の侵入を防止することができる。【００６０】
（第３形態）
次に、本実施の第３形態について説明する。図８に示すように、第３形態は、環状部材１１０が第２レンズ５６ｂのレンズ面に接触しないように位置決めして配置するものである。【００６１】
第３形態の環状部材１１０は、第１レンズ５６ａ及び第２レンズ５６ｂの光束が通る開孔１１０ａを有し、開孔１１０ａの第２レンズ５６ｂに対向する側の周縁に、第２レンズ５６ｂのレンズ面と略同様の曲率を有する曲面部１１０ｂが形成されている。環状部材１１０は、第３孔５５ｃから第２孔５５ｂにかけての段部で形成される位置決め部５５ｅに側面が当接され、位置決めされる。【００６２】
環状部材１１０の位置決め部５５ｅは、第２孔５５ｂによって固定された第２レンズ５６ｂに環状部材１１０の曲面部１１０ｂが接触することなく、所定の隙間δ1をもって固定されるような位置に設定されている。隙間δ1には、第２孔５５ｂに第２レンズ５６ｂを接着剤７６で固定した後、第２レンズ５６ｂの外周部に塗布した接着剤７７が毛細管現象によって浸透して充填される。【００６３】
第３形態では、第２形態と同様、薄膜状の狭い隙間に接着剤を浸透させるため、湿気の通過抵抗をより大きくして湿気の侵入をより効果的に防止することができる。この場合、第３形態の環状部材１１０は、第２形態の環状部材１００よりも剛性が大きいため、組み付け作業中の無用な変形を防止することができ、作業性を向上することができる。更に、環状部材１１０が第２レンズ５６ｂに直接接触しないため、レンズ表面（特にコーティング層）に傷をつける虞がなく、作業性を向上することができる。【００６４】
尚、環状部材１１０と第２レンズ５６ｂとの間の隙間δ1は、第２レンズ５６ｂのレンズ面と一定の隙間距離δ1を有する形状のみならず、図９に示すように、複数の隙間距離δ11，δ12（δ11＜δ12）を有する段状の隙間としても良く、作業性を向上しつつ、耐振動性を向上することができる。【００６５】
（第４形態）
次に、本実施の第４形態について説明する。第４形態は、図１０に示すように、第２レンズ５６ｂ’の光出射側に、環状部材１２０を配置するものである。【００６６】
このため、第４形態では、光入射側に凹面を有する第２レンズ５６ｂ’の外周部が第１レンズ５６ａの背面側に当接するように配置されている。環状部材１２０は、第３形態の環状部材１１０と略同様の形状に形成され、第１レンズ５６ａ及び第２レンズ５６ｂ’の光束が通る開孔１２０ａを有し、開孔１２０ａの第２レンズ５６ｂ’に対向する側の周縁に、第２レンズ５６ｂ’のレンズ面と略同様の曲率を有する曲面部１２０ｂが形成されている。【００６７】
環状部材１２０は、第１レンズ５６ａ及び第２レンズ５６ｂ’の接着固定後に、第２レンズ５６ｂ’の像面側に形成した第３孔５５ｃに装着される。すなわち、第１レンズ５６ａを第１孔５５ａに接着して固定した後、第１レンズ５６ａの後方から第２レンズ５６ｂ’を第１レンズ５６ａに押し付けるように組み付け、第２レンズ５６ｂ’を第２孔５５ｂに接着して固定する。【００６８】
そして、第２レンズ５６ｂ’の背面側外周部に接着剤７７を塗布し、この接着剤７７を押しつぶすように環状部材１２０を組み付ける。このとき、環状部材１２０の曲面部１１０ｂの曲率と、曲面部１２０ｂに対向する第２レンズ５６ｂ’のレンズ面の曲率とが略同じであるため、環状部材１２０と第３孔５５ｃと第２レンズ５６ｂ’との間の隙間δ3に接着剤７７が浸透して薄膜状の接着層が生成される。【００６９】
尚、環状部材１２０の曲面部１２０ｂは、第３形態の図９と同様、階段状に形成しても良い。【００７０】
第４形態においても、第３形態と同様、組み付け作業中の環状部材１２０の無用な変形を防止して作業性を向上することができ、また、薄膜状の接着層で湿気の通過抵抗をより大きくして湿気の侵入を効果的に防止することができる。【００７１】
本出願は、２０１６年６月２３日に日本国に出願された特願２０１６−１２４４７１号を優先権主張の基礎として出願するものであり、上記の内容は、本願明細書、請求の範囲、図面に引用されたものである。
【図１】
2017221458.tif 000003
【図２】
2017221458.tif 000004
【図３】
2017221458.tif 000005
【図４】
2017221458.tif 000006
【図５】
2017221458.tif 000007
【図６】
2017221458.tif 000008
【図７】
2017221458.tif 000009
【図８】
2017221458.tif 000010
【図９】
2017221458.tif 000011
【図１０】
2017221458.tif 000012
【手続補正書】
【提出日】平成29年9月11日(2017.9.11)
【手続補正１】
【補正対象書類名】明細書
【補正対象項目名】０００６
【補正方法】変更
【補正の内容】
【０００６】
本発明の一態様による光学装置は、物体側から像面側へ向けて順番に第１レンズと第２レンズとを有し、上記第１レンズの光入射面が光学装置の外部に露出している光学系と、上記光学系の光束を通す開孔を有する環状部材と、上記光学系の光軸に沿って、上記第１レンズを保持する第１孔と、上記第２レンズを保持する第２孔と、上記環状部材を上記第２レンズの光入射側の面或いは光出射側の面の何れかに近接させて保持する第３孔と、を少なくとも有するレンズ枠と、を有し、上記第１レンズと上記第２レンズとは各々上記レンズ枠に接着剤で固定され、上記環状部材が近接する上記第２レンズの光入射側の面或いは光出射側の面は、凸面であり、上記環状部材と上記第３孔と上記第２レンズとが所定の空間を形成し、上記所定の空間には接着剤が充填されている。
【手続補正２】
【補正対象書類名】特許請求の範囲
【補正対象項目名】全文
【補正方法】変更
【補正の内容】
【特許請求の範囲】
【請求項１】
物体側から像面側へ向けて順番に第１レンズと第２レンズとを有し、上記第１レンズの光入射面が光学装置の外部に露出している光学系と、
上記光学系の光束を通す開孔を有する環状部材と、
上記光学系の光軸に沿って、上記第１レンズを保持する第１孔と、上記第２レンズを保持する第２孔と、上記環状部材を上記第２レンズの光入射側の面或いは光出射側の面の何れかに近接させて保持する第３孔と、を少なくとも有するレンズ枠と、
を有し、
上記第１レンズと上記第２レンズとは各々上記レンズ枠に接着剤で固定され、
上記環状部材が近接する上記第２レンズの光入射側の面或いは光出射側の面は、凸面であり、上記環状部材と上記第３孔と上記第２レンズとが所定の空間を形成し、
上記所定の空間には接着剤が充填されている
ことを特徴とする光学装置。
【請求項２】
上記環状部材は、上記第２レンズの光入射側の面或いは光出射側の面に沿った面形状を有すると共に、上記第２レンズの光入射側の面或いは光出射側の面に対して所定の間隔を介して配置されている
ことを特徴とする請求項１に記載の光学装置。
【請求項３】
上記環状部材は、薄板状の部材で形成されている
ことを特徴とする請求項２に記載の光学装置。
【請求項４】
上記環状部材は、上記第２レンズの光入射側の面或いは光出射側の面に接触しない間隔となるように位置決めされて配置されている
ことを特徴とする請求項２に記載の光学装置。
【請求項５】
上記環状部材は、上記第２レンズの光入射側の面或いは光出射側の面に沿った複数段の間隔の面形状を有する
ことを特徴とする請求項２に記載の光学装置。
【請求項６】
上記環状部材は、上記開孔を光学絞りとして使用可能に形成されている
ことを特徴とする請求項１に記載の光学装置。
【国際調査報告】
2017221458.tif 000013
2017221458.tif 000014
2017221458.tif 000015
2017221458.tif 000016